(57)【要約】【課題】撮影直前に撮影条件と同条件での色温度補正データ作成が困難な場合でも、良好なホワイトバランス調整が行えるレンズ交換可能な電子カメラシステムの提供。【解決手段】交換可能な撮影レンズユニットと、撮像素子と、第１のホワイトバランス算出手段と、第２のホワイトバランス算出手段と、色温度補正データ算出手段と、ホワイトバランス制御手段と、複数の前期色温度補正データを記憶する色温度補正データ記憶手段とを備えたことを特徴とする電子カメラシステムにおいて、複数の色温度補正データを合成し合成色温度補正データを算出する色温度補正データ合成手段と、合成する色温度補正データを選択する色温度補正データ選択手段とを備え、前記色温度補正データ記憶手段は、前記色温度補正データ合成手段によって合成された前記合成色温度補正データとを記憶することを特徴とする。【選択図】図１
2006033159.tif 000002
【特許請求の範囲】
【請求項１】
交換可能な撮影レンズユニットと、前記撮影レンズユニットを透過して結像された被写体像を光電変換する撮像素子と、前記撮像素子以外の測色センサーからのデータを用いてホワイトバランス調整のための第１のホワイトバランス制御信号を得る第１のホワイトバランス算出手段と、前記撮影レンズユニットを通して撮像素子から得た信号からのデータを用いてホワイトバランス調整のための第２のホワイトバランス制御信号を得る第２のホワイトバランス算出手段と、前記第１のホワイトバランス算出手段より得られる前記第１のホワイトバランス制御信号と前記第２のホワイトバランス算出手段より得られる前記第２のホワイトバランス制御信号とを比較して、前記撮影レンズユニット固有の色温度補正データを算出し、前記色温度補正データが作成されたときの日時の情報と、前記撮影レンズユニット固有のレンズ情報とを添付する色温度補正データ算出手段と、前記第１のホワイトバランス制御信号と前記第２のホワイトバランス制御信号と前記色温度補正データによってホワイトバランス調整を制御するホワイトバランス制御手段と、複数の前期色温度補正データを記憶する色温度補正データ記憶手段とを備えたことを特徴とする電子カメラシステムにおいて、
複数の色温度補正データを合成し合成色温度補正データを算出する色温度補正データ合成手段と、合成する色温度補正データを選択する色温度補正データ選択手段とを備え、前記色温度補正データ記憶手段は、前記色温度補正データ合成手段によって合成された前記合成色温度補正データとを記憶することを特徴とする電子カメラシステム。
【請求項２】
前記色温度補正データ算出手段は、算出した前記色温度補正データに前記色温度補正データが作成されたときの日時の情報を添付し、前記色温度補正データ合成手段は、色温度補正データの作成日によって、合成の比率を変化させることを特徴とする請求項１記載の電子カメラシステム。
【請求項３】
前記色温度補正データ算出手段は、前記色温度補正データに前記撮影レンズユニット固有のレンズ情報を添付し、前記色温度補正データ選択手段は、前記色温度補正データに添付されている前記撮影レンズユニット固有のレンズ情報によって、合成する複数の前記色温度補正データを選択することを特徴とする請求項１記載の電子カメラシステム。
【発明の詳細な説明】
【技術分野】
【０００１】
本発明は、電子カメラシステムに関するものである。
【背景技術】
【０００２】
従来、電子カメラでは白い被写体を白く再現するようにホワイトバランスの調整をしている。ホワイトバランスは、一般に使用されるレンズの分光特性のうち最も標準的なレンズの分光特性を設定して、該設定された分光特性と、被写体からの光によって得られる電子カメラの赤信号回路の利得と青信号回路の利得を、緑信号を基準として制御して行う。
【０００３】
又、ホワイトバランスには、オートホワイトバランス方式と、マニュアルホワイトバランス方式とがある。
【０００４】
オートホワイトバランス方式では、撮影環境の色合い（色温度）を計測する必要がある。オートホワイトバランス方式では、外測センサー方式とＴＴＬ（Through The Lens）方式とがあり、外測センサー方式は外光の色を測定して得られるデータを用いてホワイトバランスの調整を行うもので、ＴＴＬ方式は撮像センサーの出力信号から外光の色を算出し、そのデータを用いてホワイトバランスの調整を行うものである。
【０００５】
マニュアルホワイトバランス方式では、撮影環境の光源の種類（例えば太陽光、電球、蛍光灯等）を撮影者が判断し、スイッチ等の光源選択手段により光源の種類を選択する。この光源の選択に応じて赤信号回路の利得と青信号回路の利得とが、予め設定されている光源固有の固定ゲインに設定される。又は、撮影者が撮影環境の色合い（色温度）を測定し、色温度入力手段により撮影環境の色温度を入力する。撮影者の色温度の入力に応じて赤信号回路の利得と青信号回路の利得とが、予め設定されている色温度固有の固定ゲインに設定される。
【０００６】
しかしながら、従来のレンズ交換可能な電子カメラでは、使用レンズにより分光特性が異なるので、
標準的なレンズの分光特性を設定して被写体からの色温度情報によりホワイトバランスを調整しても、実際に使用する交換レンズによっては、前記標準的なレンズとは分光特性が大きく異なり、同じ被写体でもホワイトバランスの調整が正確にできないという問題があった。
【０００７】
これに対し、カメラ本体に対して交換可能な撮影レンズユニットの分光特性に相応した色温度補正情報を撮影者が作成してカメラ本体に記憶させておき、撮影の際に前記色温度補正情報を基にホワイトバランス調整を行うことにより、良好なホワイトバランス調整が可能なレンズ交換可能なビデオカメラ及び交換レンズが提案されている。
【０００８】
【特許文献１】特開平１０−１５５１００号公報
【発明の開示】
【発明が解決しようとする課題】
【０００９】
しかしながら、上記従来方式では以下のような不都合を生じていた。
【００１０】
即ち、交換可能な撮影レンズユニットの分光特性に相応した色温度補正情報を作成して、カメラ本体に予め記憶していることにより、良好なホワイトバランス調整が可能であるが、光源の種類など色温度補正データ作成時の条件や、レンズの焼き付きや撮像素子の焼き付き等の経年劣化によって色温度補正データの値が変化してしまう。又、撮影直前に色温度補正データの作成が困難な場合に、撮影条件と同条件で作成した色温度補正データを使用した撮影は不可能であり、撮影条件とは差異の条件で作成された色温度補正データを使用した撮影を行うしかなかった。
【００１１】
本発明は上述のような欠点を排除し、撮影直前に撮影条件と同条件での色温度補正データ作成が困難な場合でも、良好なホワイトバランス調整が行えるレンズ交換可能な電子カメラシステムを提供することを目的とする。
【課題を解決するための手段】
【００１２】
前記目的を達成するため、請求項１記載の発明は、交換可能な撮影レンズユニットと、前記撮影レンズユニットを透過して結像された被写体像を光電変換する撮像素子と、前記撮像素子以外の測色センサーからのデータを用いてホワイトバランス調整のための第１のホワイトバランス制御信号を得る第１のホワイトバランス算出手段と、前記撮影レンズユニットを通して撮像素子から得た信号からのデータを用いてホワイトバランス調整のための第２のホワイトバランス制御信号を得る第２のホワイトバランス算出手段と、前記第１のホワイトバランス算出手段より得られる前記第１のホワイトバランス制御信号と前記第２のホワイトバランス算出手段より得られる前記第２のホワイトバランス制御信号とを比較して、前記撮影レンズユニット固有の色温度補正データを算出し、前記色温度補正データが作成されたときの日時の情報と、前記撮影レンズユニット固有のレンズ情報とを添付する色温度補正データ算出手段と、前記第１のホワイトバランス制御信号と前記第２のホワイトバランス制御信号と前記色温度補正データによってホワイトバランス調整を制御するホワイトバランス制御手段と、複数の前期色温度補正データを記憶する色温度補正データ記憶手段とを備えたことを特徴とする電子カメラシステムにおいて、複数の色温度補正データを合成し合成色温度補正データを算出する色温度補正データ合成手段と、合成する色温度補正データを選択する色温度補正データ選択手段とを備え、前記色温度補正データ記憶手段は、前記色温度補正データ合成手段によって合成された前記合成色温度補正データとを記憶することを特徴とする。
【００１３】
請求項２記載の発明は、請求項１記載の発明において、前記色温度補正データ算出手段は、算出した前記色温度補正データに前記色温度補正データが作成されたときの日時の情報を添付し、前記色温度補正データ合成手段は、色温度補正データの作成日によって、合成の比率を変化させることを特徴とする。
【００１４】
請求項３記載の発明は、請求項１記載の発明において、前記色温度補正データ算出手段は、前記色温度補正データに前記撮影レンズユニット固有のレンズ情報を添付し、前記色温度補正データ選択手段は、前記色温度補正データに添付されている前記撮影レンズユニット固有のレンズ情報によって、合成する複数の前記色温度補正データを選択することを特徴とする。
【発明の効果】
【００１５】
請求項１記載の発明によれば、撮影者は撮影レンズユニット固有の標準的な色温度補正データを作成することが可能となる。
【００１６】
請求項２記載の発明によれば、撮影者は標準的な色温度補正データを作成する場合に、色温度補正データの作成日が現在に近いものを合成の比率を多くして標準的な色温度補正データの作成が可能となる。
【００１７】
請求項３記載の発明によれば、撮影者が標準的な色温度補正データを作成するために、合成する色温度補正データを選択する場合に、色温度補正データに添付された撮影レンズユニット固有のレンズ情報によって、合成に必要な複数の色温度補正データを容易に選択することが可能となる。
【発明を実施するための最良の形態】
【００１８】
以下、図面を参照して本発明の実施の形態を説明する。
【００１９】
図１は本発明の概略図を示したものである。
【００２０】
１００は電子カメラ本体である。３００は交換可能なレンズユニットである。１５１は測色センサーで、外光の色温度を測定する。
【００２１】
図２は本発明の実施の形態を示したブロック図である。
【００２２】
図２において、１００は電子カメラ本体である。１２は撮像素子１４への露光量を制御するためのシャッター、１４は光学像を電気信号に変換する撮像素子である。
【００２３】
レンズ３１０に入射した光線は、一眼レフ方式によって、絞り３１２、レンズマウント３０６及び１０６、ミラー１３０、シャッター１２を介して導き、光学像として撮像素子１４上に結像することができる。
【００２４】
１３０，１３２はミラーで、レンズ３１０に入射した光線を、一眼レフ方式によって光学ファインダー１０４に導くことができる。尚、ミラー１３０は、クイックリターンミラーの構成としても、ハーフミラーの構成としても、どちらでも構わない。
【００２５】
１６は撮像素子１４のアナログ信号出力をデジタル信号に変換するＡ／Ｄ変換器である。１８は撮像素子１４、  Ａ／Ｄ変換器１６、Ｄ／Ａ変換器２６にクロック信号や制御信号を供給するタイミング発生回路であり、メモリ制御回路２２及びシステム制御回路５０により制御される。
【００２６】
２０は画像処理回路であり、Ａ／Ｄ変換器１６からのデータ或はメモリ制御回路２２からのデータに対して所定の画素補間処理や色変換処理を行う。
【００２７】
又、画像処理回路２０においては、必要に応じて、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュ調光）処理を行うことが出来る。
【００２８】
更に、画像処理回路２０においては、ホワイトバランス制御回路１５６より得られた演算結果に基づいてＷＢ（ホワイトバランス）処理も行っている。
【００２９】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００３０】
Ａ／Ｄ変換器１６のデータが画像処理回路２０、メモリ制御回路２２を介して、或はＡ／Ｄ変換器１６のデータが直接メモリ制御回路２２を介して、画像表示メモリ２４或はメモリ３０に書き込まれる。
【００３１】
２４は画像表示メモリ、２６はＤ／Ａ変換器、２８はＴＦＴ・ＬＣＤ等から成る画像表示部であり、画像表示メモリ２４に書き込まれた表示用の画像データはＤ／Ａ変換器２６を介して画像表示部２８により表示される。
【００３２】
画像表示部２８を用いて撮像した画像データを逐次表示すれば、電子ファインダー機能を実現することが可能である。
【００３３】
又、画像表示部２８は、システム制御回路５０の指示により任意に表示をＯＮ／ＯＦＦすることが可能であり、表示をＯＦＦにした場合には電子カメラ本体１００の電力消費を大幅に低減することができる。
【００３４】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速且つ大量の画像書き込みをメモリ３０に対して行うことが可能となる。
【００３５】
又、メモリ３０はシステム制御回路５０の作業領域としても使用することが可能である。
【００３６】
３２は適応離散コサイン変換（ＡＤＣＴ）等により画像データを圧縮伸長する圧縮・伸長回路であり、メモリ３０に格納された画像を読み込んで圧縮処理或は伸長処理を行い、処理を終えたデータをメモリ３０に書き込む。
【００３７】
４０は測光手段４６からの測光情報に基づいて、絞り３１２を制御する絞り制御手段３４０と連携しながら、シャッター１２を制御するシャッター制御手段である。
【００３８】
４２はＡＦ（オートフォーカス）処理を行うための測距手段であり、レンズ３１０に入射した光線を、一眼レフ方式によって、絞り３１２、レンズマウント３０６及び１０６、ミラー１３０そして不図示の測距用サブミラーを介して、測距手段４２に入射させることにより、光学像として結像された画像の合焦状態を測定することができる。
【００３９】
４６はＡＥ（自動露出）処理を行うための測光手段であり、レンズ３１０に入射した光線を、一眼レフ方式によって、絞り３１２、レンズマウント３０６及び１０６、ミラー１３０及び１３２そして不図示の測光用レンズを介して、測光手段４６に入射させることにより、光学像として結像された画像の露出状態を測定することができる。
【００４０】
又、測光手段４６は、フラッシュ４８と連携することによりＥＦ（フラッシュ調光）処理機能も有するものである。
【００４１】
４８はフラッシュであり、ＡＦ補助光の投光機能、フラッシュ調光機能も有する。尚、撮像素子１４によって撮像した画像データを画像処理回路２０によって演算した演算結果に基づき、システム制御回路５０がシャッター制御手段４０、絞り制御手段３４０、測距制御手段３４２に対して制御を行う、ビデオＴＴＬ方式を用いて露出制御及びＡＦ（オートフォーカス）制御をすることも可能である。
【００４２】
更に、測距手段４２による測定結果と、撮像素子１４によって撮像した画像データを画像処理回路２０によって演算した演算結果とを共に用いてＡＦ（オートフォーカス）制御を行っても構わない。
【００４３】
そして、測光手段４６による測定結果と、撮像素子１４によって撮像した画像データを画像処理回路２０によって演算した演算結果とを共に用いて露出制御を行っても構わない。
【００４４】
５０は電子カメラ本体１００全体を制御するシステム制御回路、５２はシステム制御回路５０の動作用の定数、変数、プログラム等を記憶するメモリである。
【００４５】
５４はシステム制御回路５０でのプログラムの実行に応じて、文字、画像、音声等を用いて動作状態やメッセージ等を表示する液晶表示装置、スピーカー等の表示部であり、電子カメラ本体１００の操作部近辺の視認し易い位置に単数或は複数個所設置され、例えばＬＣＤやＬＥＤ、発音素子等の組み合わせにより構成されている。
【００４６】
又、表示部５４は、その一部の機能が光学ファインダー１０４内に設置されている。
【００４７】
表示部５４の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、レンズユニット３００の着脱状態表示、通信Ｉ／Ｆ動作表示、日付・時刻表示、外部コンピュータとの接続状態を示す表示等がある。
【００４８】
又、表示部５４の表示内容のうち、光学ファインダー１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示等がある。
【００４９】
更に、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示等がある。
【００５０】
そして、表示部５４の表示内容のうち、ランプ等に表示するものとしては、例えば、セルフタイマー通知ランプ等がある。このセルフタイマー通知ランプは、ＡＦ補助光と共用して用いても良い。
【００５１】
５６は電気的に消去・記録可能な不揮発性メモリであり、例えばＥＥＰＲＯＭ等が用いられる。
【００５２】
６０，６２，６４，６６，６８，７０，７２及び１６２は、システム制御回路５０の各種の動作指示を入力するための操作手段であり、スイッチやダイアル、タッチパネル、視線検知によるポインティング、音声認識装置等の単数或は複数の組み合わせで構成される。
【００５３】
ここで、これらの操作手段の具体的な説明を行う。
【００５４】
６０はモードダイアルスイッチで、自動撮影モード、プログラム撮影モード、シャッター速度優先撮影モード、絞り優先撮影モード、マニュアル撮影モード、焦点深度優先（デプス）撮影モード、ポートレート撮影モード、風景撮影モード、接写撮影モード、スポーツ撮影モード、夜景撮影モード、パノラマ撮影モード等の各機能撮影モードを切り替え設定することができる。
【００５５】
６２はシャッタースイッチＳＷ１で、不図示のシャッターボタンの操作途中でＯＮとなり、ＡＦ（オートフォーカス）処理、ＡＥ（自動露出）処理、ＷＢ（ホワイトバランス）処理、ＥＦ（フラッシュ調光）処理等の動作開始を指示する。
【００５６】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或は２１０に画像データを書き込む記録処理という一連の処理の動作開始を指示する。
【００５７】
６６は色温度補正データ登録スイッチで、色温度補正データ算出回路１５５によって装着されたレンズユニット３００固有の色温度補正データを算出するための撮影シーケンスの開始を指示する。
【００５８】
６８は色温度補正モードスイッチで、色温度補正データ算出回路１５５によって算出される装着されたレンズユニット３００固有の色温度補正データを使用した撮影を指示する。
【００５９】
７０は色温度補正データ選択スイッチで、色温度補正データ記憶手段１５７に格納されている複数の色温度補正データから、合成色温度補正データを作成するための色温度補正データを選択する。
【００６０】
７２はホワイトバランス選択スイッチで、外光の色を測定して得られる色温度データを用いる外測センサー方式と、撮像センサーの出力信号から外光の色を算出し、その色温度データを用いるＴＴＬ方式によってホワイトバランスの調整を行うオートホワイトバランスと、撮影環境の光源の種類（例えば太陽光、電球、蛍光灯等）を撮影者が判断し、光源選択手段（不図示）により光源の種類を選択し、又は撮影者が撮影環境の色合い（色温度）を測定し、色温度入力手段により電子カメラに撮影環境の色温度を入力し、この光源の選択や色温度の入力に応じて赤信号回路の利得と青信号回路の利得とが、予め設定されている光源及び色温度固有の固定ゲインに設定されるマニュアルホワイトバランスとを選択する。
【００６１】
７４は各種ボタンやタッチパネル等から成る操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、パノラマモード等の撮影及び再生を実行する際に各種機能の選択及び切り替えを設定する選択/ 切り替えボタン、パノラマモード等の撮影及び再生を実行する際に各種機能の決定及び実行を設定する決定／実行ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択するため或は撮像素子の信号をそのままデジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することができる再生スイッチ、シャッタースイッチＳＷ１を押したならばオートフォーカス動作を開始し、一旦合焦したならばその合焦状態を保ち続けるワンショットＡＦモードとシャッタースイッチＳＷ１を押している間は連続してオートフォーカス動作を続けるサーボＡＦモードとを設定することができるＡＦモード設定スイッチ等がある。
【００６２】
又、上記プラスボタン及びマイナスボタンの各機能は、回転ダイアルスイッチを備えることによって、より軽快に数値や機能を選択することが可能となる。
【００６３】
７６は電源スイッチで、電子カメラ本体１００の電源オン、電源オフの各モードを切り替え設定することができる。又、電子カメラ本体１００に接続されたレンズユニット３００、不図示の外部ストロボ、記録媒体２００，２１０等の各種付属装置の電源オン、電源オフの設定も合わせて切り替え設定することができる。
【００６４】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００６５】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等から成る電源手段である。
【００６６】
９０及び９４はメモリカードやハードディスク等の記録媒体とのインターフェース、９２及び９６はメモリカードやハードディスク等の記録媒体と接続を行うコネクタ、９８はコネクタ９２及び或いは９６に記録媒体２００或は２１０が装着されているか否かを検知する記録媒体着脱検知手段である。
【００６７】
尚、本実施の形態では、記録媒体を取り付けるインターフェース及びコネクタを２系統持つものとして説明している。勿論、記録媒体を取り付けるインターフェース及びコネクタは、単数或は複数、何れの系統数を備える構成としても構わない。又、異なる規格のインターフェース及びコネクタを組み合わせて備える構成としても構わない。
【００６８】
インターフェース及びコネクタとしては、ＰＣＭＣＩＡカードやＣＦ（コンパクトフラッシュ）カード等の規格に準拠したものを用いて構成して構わない。
【００６９】
更に、インターフェース９０及び９４、そしてコネクタ９２及び９６をＰＣＭＣＩＡカードやＣＦ（コンパクトフラッシュ）カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することにより、他のコンピュータやプリンタ等の周辺機器との間で画像データや画像データに付属した管理情報を転送し合うことができる。
【００７０】
１０４は光学ファインダーであり、レンズ３１０に入射した光線を、一眼レフ方式によって、絞り３１２、レンズマウント３０６及び１０６、ミラー１３０及び１３２を介して導き、光学像として結像表示することができる。これにより、画像表示部２８による電子ファインダー機能を使用することなしに、光学ファインダー１０４のみを用いて撮影を行うことが可能である。又、光学ファインダー１０４内には、表示部５４の一部の機能、例えば、合焦表示、手振れ警告表示、フラッシュ充電表示、シャッタースピード表示、絞り値表示、露出補正表示等が設置されている。
【００７１】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００７２】
１１２は通信手段１１０により電子カメラ本体１００を他の機器と接続するコネクタ或は無線通信の場合はアンテナである。
【００７３】
１２０は、レンズマウント１０６内において、電子カメラ本体１００をレンズユニット３００と接続するためのインターフェース、１２２は電子カメラ本体１００をレンズユニット３００と電気的に接続するコネクタ、１２４はレンズマウント１０６及び或はコネクタ１２２にレンズユニット３００が装着されているか否かを検知するレンズ着脱検知手段である。
【００７４】
コネクタ１２２は、電子カメラ本体１００とレンズユニット３００との間で制御信号、状態信号、データ信号等を伝え合うと共に、各種電圧の電流を供給する機能も備えている。又、コネクタ１２２は電気通信のみならず、光通信、音声通信等を伝達する構成としても良い。
【００７５】
１５１は測色センサーで、撮影した画像のホワイトバランスを調整するために外光色を測色する。
【００７６】
１５２は測色センサー１５１のアナログ信号出力をデジタル信号に変換するＡ／Ｄ変換器である。
【００７７】
１５３は外測ホワイトバランス算出回路で、ホワイトバランス用Ａ／Ｄ回路５６からの出力を受けて外光の色温度を算出する。
【００７８】
１５４は内測ホワイトバランス算出回路で、ＴＴＬ方式により撮像した画像データを用いて色温度を算出する。
【００７９】
１５５は色温度補正データ算出回路で、外測ホワイトバランス算出回路１５３で算出された外測色温度と内測ホワイトバランス算出回路１５４で算出された内測色温度とを比較して、装着されているレンズユニット３００固有の分光特性に相応する色温度補正データを算出し、算出した色温度補正データに、レンズユニット３００より取得した色補正データ作成時のレンズユニット３００の絞り値・フォーカス位置・焦点距離の情報を添付する。
【００８０】
１５６はホワイトバランス制御回路で、撮影者の光源選択や色温度入力に応じて予め設定されたホワイトバランス調整のゲインと、外測ホワイトバランス算出回路１５３によって算出された外測色温度と、内測ホワイトバランス算出回路１５４によって算出された内測色温度と、色温度補正データ算出回路１５５によって算出された色温度補正データ等よって、画像処理回路２０がホワイトバランスの処理をするのに必要なホワイトバランス補正データを算出する。
【００８１】
１５７は色温度補正データ記憶手段で、装着されているレンズユニット３００固有の色温度補正データをレンズユニット３００の絞り値・フォーカス位置・焦点距離の各値毎に複数記憶する。
【００８２】
１６０は色温度補正データ合成手段であり、色温度補正データ選択スイッチ７０及び色温度補正データ自動選択手段１６４（後述）によって選択された色温度補正データを合成し、合成色温度補正データを算出する。
【００８３】
１６２は色温度補正データ合成スイッチであり、色温度補正データ合成手段１６２による合成色温度補正データの算出を指示する。
【００８４】
１６４は色温度補正データ自動選択手段であり、色温度補正データ選択スイッチ７０によって選択された色温度補正データに添付されたレンズユニット３００のレンズ情報によって、色温度補正データ記憶手段１５７に格納されている複数の色温度補正データから同レンズユニット３００の色温度補正データを自動で選択する。
【００８５】
２００はメモリカードやハードディスク等の記録媒体である。記録媒体２００は、半導体メモリや磁気ディスク等から構成される記録部２０２、電子カメラ本体１００とのインターフェース２０４、電子カメラ本体１００と接続を行うコネクタ２０６を備えている。
【００８６】
２１０はメモリカードやハードディスク等の記録媒体である。記録媒体２１０は、半導体メモリや磁気ディスク等から構成される記録部２１２、電子カメラ本体１００とのインターフェース２１４、電子カメラ本体１００との接続を行うコネクタ２１６を備えている。
【００８７】
３００は交換レンズタイプのレンズユニットである。３０６は、レンズユニット３００を電子カメラ本体１００と機械的に結合するレンズマウントである。レンズマウント３０６内には、レンズユニット３００を電子カメラ本体１００と電気的に接続する各種機能が含まれている。
【００８８】
３１０は撮影レンズ、３１２は絞りである。３２０は、レンズマウント３０６内において、レンズユニット３００を電子カメラ本体１００と接続するためのインターフェース、３２２はレンズユニット３００を電子カメラ本体１００と電気的に接続するコネクタである。
【００８９】
コネクタ３２２は、電子カメラ本体１００とレンズユニット３００との間で制御信号、状態信号、データ信号等を伝え合うと共に、各種電圧の電流を供給される或は供給する機能も備えている。又、コネクタ３２２は電気通信のみならず、光通信、音声通信等を伝達する構成としても良い。
【００９０】
３４０は測光手段４６からの測光情報に基づいて、シャッター１２を制御するシャッター制御手段４０と連携しながら、絞り３１２を制御する絞り制御手段である。
【００９１】
３４２は撮影レンズ３１０のフォーカシングを制御する測距制御手段、３４４は撮影レンズ３１０のズーミングを制御するズーム制御手段である。
【００９２】
３５０はレンズユニット３００全体を制御するレンズシステム制御回路である。レンズシステム制御回路３５０は、動作用の定数、変数、プログラム等を記憶するメモリやレンズユニット３００固有の番号等の識別情報、管理情報、開放絞り値や最小絞り値、焦点距離等の機能情報、現在や過去の各設定値等を保持する不揮発メモリの機能も備えている。
【００９３】
図３は装着されたレンズの色温度補正データを作成するためのフローチャートを示したものである。
【００９４】
先ず、ステップＳ１０１において、色温度補正データ登録スイッチ６６がＯＮとなると、電子カメラ本体１００に装着されたレンズユニット３００固有の色温度補正データ作成のための色温度補正データ作成モードになる。
【００９５】
ステップＳ１０２において、シャッタースイッチＳＷ１（６２）がＯＮとなると、ステップＳ１０３において、測色センサー１５１によって外光の光の測色を行い、測色センサー１５１からのアナログの出力をＡ／Ｄ回路１５２によってデジタル信号に変換し、測色センサー１５１より得られた赤信号Ｒ１
と青信号Ｂ1の比率から、外測ホワイトバランス算出回路１５３によって外光の色温度としてＲ1／Ｇ1とＢ1／Ｇ1を得る。
【００９６】
ステップＳ１０４でシャッタースイッチＳＷ２（６４）がＯＮとなると、ステップＳ１０５で、撮影者は或る所定の白紙を撮影する。
【００９７】
ステップＳ１０６で撮像素子１４は、装着されたレンズユニット３００を透過した光を受光し、撮像素子１４からのアナログ信号の出力をＡ／Ｄ変換器１６によってデジタル信号に変換し、撮像素子１４より得られた赤信号Ｒ２
と青信号Ｂ2の比率から、内測ホワイトバランス算出回路１５４によってレンズユニット３００を透過した外光の色温度としてＲ2／Ｇ2とＢ2／Ｇ2を得る。
【００９８】
ステップ１０７で、外測ホワイトバランス算出回路１５３で得られた、外光の色温度Ｒ1／Ｇ1とＢ1／Ｇ1と、内測ホワイトバランス算出回路１５４によって得られた、レンズユニット３００を透過した外光の色温度Ｒ2／Ｇ2とＢ2／Ｇ2より、色温度補正データ算出回路１５５は、レンズユニット３００固有の分光特性に相応する色温度補正データＲ3／Ｇ3とＢ3／Ｇ3を算出する。
【００９９】
ステップ１０８で、レンズユニット３００のレンズシステム製著回路３５０より、レンズユニット３００固有の番号等の識別情報、管理情報と、色温度補正データ作成した時間の情報を取得する。
【０１００】
ステップ１０９で、色温度補正データ算出回路１５５より得られた、レンズユニット３００固有の色温度補正データＲ3／Ｇ3とＢ3／Ｇ3を、レンズユニット３００のレンズシステム制御回路３５０より得られたレンズユニット３００固有の番号等の識別情報、管理情報と色温度補正データを作成した時間の情報と共に、色温度補正データ記憶手段１５７に格納する。
【０１０１】
図４はレンズユニット３００固有の色温度補正データを使用して合成色温度補正データを作成するフローチャートである。
【０１０２】
先ず、ステップＳ２０１で色温度補正データ合成スイッチ１６２がＯＮすると、ステップＳ２０２で色温度補正データ選択スイッチ７０の操作によって、合成を行うための複数の色温度補正データを選択する。
【０１０３】
ステップＳ２０３で、色温度補正データ合成手段１６０によって、ステップＳ２０２で選択された複数の色温度補正データを合成して、合成色温度補正データを作成する。
【０１０４】
ステップＳ２０３で作成された合成色温度補正データは、ステップＳ２０４で色温度補正データ記憶手段１５７に格納される。
【０１０５】
図５は、レンズユニット３００固有の色温度補正データと、色温度補正データを作成したときの時間の情報を使用して合成色温度補正データを作成するフローチャートである。
【０１０６】
先ず、ステップＳ３０１で色温度補正データ合成スイッチ１６２がＯＮすると、ステップＳ３０２で色温度補正データ選択スイッチ７０の操作によって、合成を行うための複数の色温度補正データを選択する。
【０１０７】
ステップＳ３０３で、色温度補正データ合成手段１６０によって、ステップＳ３０２で選択された複数の色温度補正データから、各色温度補正データが作成された時間の情報を取得する。
【０１０８】
ステップＳ３０４で、色温度補正データ合成手段１６０によって、ステップＳ３０３で得られた各色温度補正データが作成された時間の情報を基に、ステップＳ３０２で選択された複数の色温度補正データを作成された時間によって合成の割合を変化させて合成し、合成色温度補正データを作成する。
【０１０９】
ステップＳ３０４で作成された合成色温度補正データは、ステップＳ３０５で色温度補正データ記憶手段１５７に格納される。
【０１１０】
図６は、レンズユニット３００固有のレンズユニット３００固有の番号等の識別情報、管理情報を用いて、複数の色温度補正データを選択して、合成色温度補正データを作成するフローチャートである。
【０１１１】
先ず、ステップＳ４０１で色温度補正データ合成スイッチ１６２がＯＮすると、ステップＳ４０２で色温度補正データ選択スイッチ７０の操作によって、合成を行うための色温度補正データを１つ選択する。
【０１１２】
ステップＳ４０３で、色温度補正データ自動選択手段１６４は、ステップＳ４０２で選択された色温度補正データから、レンズユニット３００固有のレンズユニット３００固有の番号等の識別情報、管理情報を取得する。
【０１１３】
ステップＳ４０４で、色温度補正データ自動選択手段１６４によって、ステップＳ４０３で色温度補正データから得られたレンズユニット３００固有のレンズユニット３００固有の番号等の識別情報、管理情報を基に、同ＩＤのレンズユニット３００固有の他の複数の色温度補正データを自動的に選択する。
【０１１４】
ステップＳ４０５で、ステップＳ４０４及びステップＳ４０２において選択された複数の色温度補正データを合成して、成色温度補正データを作成する。
【０１１５】
ステップＳ４０５で作成された合成色温度補正データは、ステップＳ４０６で色温度補正データ記憶手段１５７に格納される。
【図面の簡単な説明】
【０１１６】
【図１】本発明の実施の形態を示す電子カメラシステムの概略図である。
【図２】本発明の実施の形態を示す電子カメラシステムの内部構造を示したブロック図である。
【図３】本発明の実施の形態において、装着されたレンズユニットの色温度補正データを作成するためのフローチャートである。
【図４】本発明の実施の形態において、レンズユニット固有の色温度補正データを使用して合成色温度補正データを作成するフローチャートである。
【図５】本発明の実施の形態において、レンズユニット固有の色温度補正データと、色温度補正データを作成したときの時間の情報を使用して合成色温度補正データを作成するフローチャートである。
【図６】本発明の実施の形態において、レンズユニット固有のレンズユニット固有の番号等の識別情報、管理情報を用いて、複数の色温度補正データを選択して、合成色温度補正データを作成するフローチャートである。
【符号の説明】
【０１１７】
１００  電子カメラ本体
１４  撮像素子
１６  Ａ／Ｄ変換器
２０  画像処理回路
５０  システム制御回路
５４  表示部
６２  レリーズシャッタースイッチＳＷ１
６４  レリーズシャッタースイッチＳＷ２
６６  色温度補正データ登録スイッチ
６８  色温度補正モードスイッチ
７０  色温度補正データ選択スイッチ
７２  ホワイトバランス選択スイッチ
１５１  測色センサー
１５２  Ａ／Ｄ変換器
１５３  外測ホワイトバランス算出回路
１５４  内測ホワイトバランス算出回路
１５５  色温度補正データ算出回路
１５６  ホワイトバランス制御回路
１５７  色温度補正データ記憶手段
１６０  色温度補正データ合成手段
１６２  色温度補正データ合成スイッチ
１６４  色温度補正データ自動選択手段
２００  記録媒体
２１０  記録媒体
３００  レンズユニット
３５０  レンズシステム制御回路
【図１】
2006033159.tif 000003
【図２】
2006033159.tif 000004
【図３】
2006033159.tif 000005
【図４】
2006033159.tif 000006
【図５】
2006033159.tif 000007
【図６】
2006033159.tif 000008